(57)【特許請求の範囲】
【請求項１】
小売店の店舗に設置され、前記小売店の店舗における売上代金の入金により貨幣が収納され、かつ、所定条件の下で貨幣の出金を行う貨幣入出金装置と、
前記貨幣入出金装置と通信回線により接続され、前記貨幣入出金装置における入出金についての入出金情報を送受信することにより、前記貨幣入出金装置に入金された前記売上代金の金額及び収納されている貨幣の金額を管理する、仲介機関の仲介機関入出金情報処理装置と、
前記仲介機関入出金情報処理装置と通信回線により接続され、顧客の口座を管理する、金融機関の金融機関入出金情報処理装置とを備え、
前記顧客が自己の前記口座に係るキャッシュカードの前記貨幣入出金装置への挿入並びに暗証番号及び出金金額の入力を行うことにより、前記貨幣入出金装置から前記仲介機関入出金情報処理装置を介して前記金融機関入出金情報処理装置に出金要求がなされ、前記出金要求に応じて前記金融機関入出金情報処理装置から前記仲介機関入出金情報処理装置を介して前記貨幣入出金装置に出金許可報告があったことを前記所定条件とし、
前記出金要求及び前記出金許可報告に基づき、前記出金後の前記貨幣入出金装置に収納されている貨幣の金額が前記仲介機関入出金情報処理装置により管理され、
前記金融機関が管理する前記口座には、前記貨幣入出金装置から回収された貨幣の金額に等しい金額が入金される売上代金回収口座と、前記売上代金の金額に等しい金額が前記売上代金回収口座から入金される、前記小売店の小売店本部口座と、前記仲介機関の仲介機関口座とが含まれ、
前記顧客に対する貨幣の出金があったときは、前記出金金額に等しい金額に所定手数料を加えた金額が前記顧客の口座から前記仲介機関口座へ入金され、かつ、前記出金金額に等しい金額が前記仲介機関口座から前記売上代金回収口座へ入金されることを特徴とする売上代金循環システム。
【請求項２】
小売店の店舗に設置され、前記小売店の店舗における売上代金の入金により貨幣が収納され、かつ、所定条件の下で貨幣の出金を行う貨幣入出金装置と、
前記貨幣入出金装置と通信回線により接続され、前記貨幣入出金装置における入出金についての入出金情報を送受信することにより、前記貨幣入出金装置に入金された前記売上代金の金額及び収納されている貨幣の金額を管理する、仲介機関の仲介機関入出金情報処理装置と、
前記仲介機関入出金情報処理装置と通信回線により接続され、顧客の口座を管理する、金融機関の金融機関入出金情報処理装置とを備え、
顧客に対する融資の可否の判断及び融資内容の管理を行う、信用貸し機関の信用貸し機関入出金情報処理装置と、
前記信用貸し機関と契約を有する前記顧客が自己の契約に係るクレジットカードの前記貨幣入出金装置への挿入並びに暗証番号及び出金金額の入力を行うことにより、前記貨幣入出金装置から前記仲介機関入出金情報処理装置を介して前記信用貸し機関入出金情報処理装置に融資要求がなされ、前記融資要求に応じて前記信用貸し機関入出金情報処理装置から前記仲介機関入出金情報処理装置を介して前記貨幣入出金装置に融資許可報告があったことを前記所定条件とし、
前記融資要求及び前記融資許可報告に基づき、前記出金後の前記貨幣入出金装置に収納されている貨幣の金額が前記仲介機関入出金情報処理装置により管理され、
前記金融機関が管理する前記口座には、前記貨幣入出金装置から回収された貨幣の金額に等しい金額が入金される売上代金回収口座と、前記売上代金の金額に等しい金額が前記売上代金回収口座から入金される、前記小売店の小売店本部口座と、前記仲介機関の仲介機関口座と、前記信用貸し機関の信用貸し機関口座とが含まれ、
前記顧客に対する貨幣の出金があったときは、前記出金金額に等しい金額に第１の所定手数料を加えた金額が前記信用貸し機関口座から前記売上代金回収口座へ入金され、前記出金金額に等しい金額に第２の所定手数料を加えた金額が前記顧客の口座から前記信用貸し機関口座へ入金されることを特徴とする売上代金循環システム。
【請求項３】
前記売上代金回収口座から前記小売店本部口座へ入金される、前記売上代金の金額に等しい金額、及び、前記仲介機関口座から前記売上代金回収口座へ入金される、前記出金金額に等しい金額は、前記仲介機関入出金情報処理装置により管理される前記売上代金の金額及び前記出金後の前記貨幣入出金装置に収納されている貨幣の金額に基づき、管理されることを特徴とする請求項１又は２に記載の売上代金循環システム。
【発明の詳細な説明】
【０００１】
【発明の属する技術分野】
本発明は、小売店の各店舗等に設置されて売上代金を収納する貨幣処理装置を入出金が可能な貨幣入出金装置とすると共に通信網に接続し、入出金情報を貨幣入出金装置と各種機関の入出金情報処理手段との間で送受信して管理することにより、貨幣入出金装置に収納された売上代金の効率的運用を可能とする売上代金循環システムに関する。
【０００２】
【従来の技術】
従来、コンビニエンスストアやファーストフード店等の小売店では、各店舗の売上代金は、店の係員又は店長が１日に１回又は複数回、銀行の窓口や夜間金庫に持参し、その小売店の店舗の本部口座に入金していたが、予め金種、枚数及び金額を計算し、銀行の窓口や夜間金庫まで持参する手間を要し、また、特に夜間等は危険を伴うこともあった。
【０００３】
かかる不都合を改善する一つの手段として、特開平６−２６６９６３号公報及び特開平６−２６６９６４号公報に開示された装置及び方法を利用した売上代金回収システムがある。その内容を要約すると、以下の通りである。売上代金回収機関が小売店の店舗に貨幣処理装置として貨幣入金装置を設置しておき、店舗の売上代金がある程度蓄積してきたときに、店の係員又は店長が貨幣入金装置に貨幣を投入して入金が確定するとその金種金額が明記されたレシートが発行される。レシート発行後の売上代金（貨幣入金装置に収納された貨幣）の管理は売上代金回収機関が行い、定期的に回収員が店舗に巡回してきて貨幣を回収し、その回収した金額を通常、翌日、その小売店の店舗の金融機関の口座に振り込み、売上代金回収機関は、その小売店の店舗から所定の手数料を受け取るというものである。コンビニエンスストアやファーストフード店等の小売店は、フランチャイズチェーンとして組織されているので、例えば、ある地域についてはチェーン店総ての店舗に貨幣入金装置を設置し、その売上代金は売上代金回収機関が回収し、フランチャイズチェーン本部の口座に一括して入金するという運用を行うこともできる。
【０００４】
【発明が解決しようとする課題】
しかしながら、上記従来の売上代金回収システムでは、貨幣入金装置に収納された貨幣は、そのまま蓄積されて回収されるのみであり、有効に活用されていない。即ち、フランチャイズチェーンに属するコンビニエンスストアやファーストフード店等は店舗数が多く、各店舗に設置された貨幣入金装置に収納される貨幣の総額は相当の金額になるにも拘わらず、それらの貨幣は売上代金回収機関により回収されるときに貨幣入金装置から取り出されるのみである。
【０００５】
本発明は上記問題点に鑑みてなされたもので、その目的は、小売店の各店舗等に設置された貨幣処理装置に収納された貨幣を利用した売上代金の効率的運用を可能とする売上代金循環システムを提供することである。
【０００６】
【課題を解決するための手段】
本発明に係る売上代金循環システムによれば、貨幣処理装置として貨幣入出金装置を小売店の店舗に設置すると共に通信網に接続し、その店舗の売上代金として貨幣入出金装置に入金された貨幣の一部を、金融機関の口座及びキャッシュカード若しくはクレジットカードの所有者に対し出金すると共に、入出金情報を貨幣入出金装置と各種機関の入出金情報処理手段との間で送受信して管理することにより、貨幣入出金装置に収納された売上代金の効率的運用を図ることが可能となる。即ち、本発明に係る売上代金循環システムを利用すると、銀行や信用貸し会社（クレジットカード会社）の現金自動支払機（ＣＤ：Cash Dispenser）又は現金自動取引装置とほぼ同等の装置が多くのコンビニエンスストアやファーストフード店等の小売店の店舗に設置されたのと同様になる。
【０００７】
【発明の実施の形態】
以下、本発明に係る売上代金循環システムの実施の一形態について、図面を参照しながら説明する。
【０００８】
図１は、本発明に係る売上代金循環システムの実施の一形態における構成を概念的に示した説明図である。
【０００９】
本発明に係る売上代金循環システムは、小売店の一例としてのコンビニエンスストアの店舗１に設置された貨幣入出金装置１０と、入出金情報の中継及び管理を行う仲介機関２，コンビニエンスストアの各店舗１を統括するコンビニエンスストア本部３，貨幣入出金装置１０に入金され収納された売上代金の回収作業を行う売上代金回収機関４，銀行５Ａ，５Ｂ，５Ｃ，．．．及びクレジットカード会社６Ａ，６Ｂ，６Ｃ，．．．の各種機関にそれぞれ設置された入出金情報処理装置とを通信回線（貨幣入出金装置１０と仲介機関２との間は電話回線、仲介機関２と銀行との間、仲介機関２とクレジットカード会社との間は専用回線）により接続して構成されている。
【００１０】
図２は、図１に示した本発明に係る売上代金循環システムの実施の一形態におけるハードウェア構成を示した説明図である。
【００１１】
本発明に係る売上代金循環システムのハードウェアは、小売店の一例としてのコンビニエンスストアの店舗１に設置された貨幣入出金装置１０と、入出金情報の中継及び管理を行う仲介機関２に設置された入出金情報処理装置２００と、貨幣入出金装置１０に入金され収納された売上代金の回収作業を行う売上代金回収機関４に設置された入出金情報処理装置４００と、銀行５Ａ，５Ｂ，５Ｃ，．．．にそれぞれ設置された入出金情報処理装置５００Ａ，５００Ｂ，５００Ｃ，．．．と、クレジットカード会社６Ａ，６Ｂ，．．．にそれぞれ設置された入出金情報処理装置６００Ａ，６００Ｂ，．．．とを通信回線により接続して構成されている。
【００１２】
貨幣入出金装置１０には、売上金額入金データ等を保存する記憶手段が備えられている。仲介機関２の入出金情報処理装置２００には、制御部２０と、売上代金ファイル２１，出金ファイル２２及び手数料ファイル２３を含む記憶手段とが備えられている。売上代金回収機関４の入出金情報処理装置４００には、制御部４０と、売上代金ファイル４１を含む記憶手段とが備えられている。銀行５Ａ，５Ｂ，５Ｃの入出金情報処理装置５００Ａ，５００Ｂ，５００Ｃには、制御部５０Ａ，５０Ｂ，５０Ｃと、顧客の口座ファイルを含む記憶手段とが備えられている。クレジットカード会社６Ａ，６Ｂの入出金情報処理装置６００Ａ，６００Ｂには、制御部６０Ａ，６０Ｂと、顧客ファイル６１Ａ，６１Ｂ及びキャッシングファイル６２Ａ，６２Ｂを含む記憶手段とが備えられている。通信線は、通常、各入出金情報処理装置２００，４００，５００Ａ，５００Ｂ，５００Ｃ，６００Ａ，６００Ｂの制御部２０，４０，５０Ａ，５０Ｂ，５０Ｃ，６０Ａ，６０Ｂに接続されている。尚、図２においては、貨幣入出金装置１０及び各種機関の入出金情報処理装置の制御部が複数の通信線により個別に接続されている状態が示されているが、実際には電話回線を利用して相互に接続されているものである。
【００１３】
図１及び図２に示した本発明に係る売上代金循環システムは、以下のように機能する。
【００１４】
コンビニエンスストアの店舗１では、売上代金がある程度蓄積するごとに貨幣入出金装置１０への入金を行い、貨幣を貨幣入出金装置１０に収納する。入金の操作が確定すると、貨幣入出金装置１０は、入金された売上代金の金種、枚数及び金額等からなる売上金額入金データを保存するとともに、その売上金額入金データの内容を２部複写式記録用紙に印字し、２部の記録用紙のうち１部を店舗１の控え用レシートとして発行し、残りの１部をレシート発行記録として装置内に保管する。また、貨幣入出金装置１０は、保存した売上金額入金データを、例えば１日１回所定時刻に、入出金情報として仲介機関２の入出金情報処理装置２００に送信する。仲介機関２の入出金情報処理装置２００の制御部２０は、受信した売上金額入金データを売上代金ファイル２１に保存する。仲介機関２の入出金情報処理装置２００の制御部２０は、保存した売上金額入金データを、例えば１日１回所定時刻に、入出金情報として売上代金回収機関４の入出金情報処理装置４００に送信する。売上代金回収機関４の入出金情報処理装置４００の制御部４０は、受信した売上金額入金データを売上代金ファイル４１に保存する。
【００１５】
また、コンビニエンスストアの店舗１からコンビニエンスストア本部３には、入金された売上代金の金額等を含む売上データが報告される。これにより、コンビニエンスストア本部３において、コンビニエンスストアの店舗１の貨幣入出金装置１０に入金された売上代金の金額が認識される。
【００１６】
銀行口座のキャッシュカードを利用する場合は、例えば銀行５Ａに口座を所有する顧客の個人Ｂが、自己の口座のキャッシュカード１１をコンビニエンスストアの店舗１の貨幣入出金装置１０に挿入し、出金金額及び暗証番号を入力して自己の口座からの出金の操作をすると、貨幣入出金装置１０は、保存した売上金額入金データに基づき出金要求の金額が貨幣入出金装置１０内の貨幣の金種別在高以下であることを確認した上で、仲介機関２の入出金情報処理装置２００に対し出金要求を通知する。出金要求の金額が貨幣入出金装置１０内の貨幣の金種別在高以下である場合には「取扱中」の表示を維持し、出金要求の金額が貨幣入出金装置１０内の貨幣の金種別在高を超えている場合には「中止」又は「．．．万円以下のみ可」等の表示を行う。仲介機関２の入出金情報処理装置２００の制御部２０は、出金要求を受信すると、出金要求に含まれているカード種別データに基づき、いずれの銀行の入出金情報処理装置（ホストコンピュータ）にその出金要求を通知すべきかを判断し、この場合は銀行５Ａの入出金情報処理装置５００Ａに回線を接続してその出金要求を通知する。この銀行５Ａの入出金情報処理装置５００Ａへの出金要求は、個人Ｂの口座から仲介機関２の口座への払込の要求である。
【００１７】
銀行５Ａの入出金情報処理装置５００Ａの制御部５０Ａは、個人Ｂの口座ファイル５６を参照し、所定の手数料を加えた出金金額が個人Ｂの口座の残高以下であることを確認した上で、所定の手数料を加えた出金金額を個人Ｂの口座ファイル５６から引き落とすと共に、所定の手数料の一部を払込手数料として銀行５Ａの手数料ファイルに加算し、所定の手数料を加えた出金金額から払込手数料を差し引いた金額を仲介機関２の仲介機関口座ファイル５１の残高に加算し、仲介機関２の入出金情報処理装置２００に対し、出金許可報告を通知する。
【００１８】
仲介機関２の入出金情報処理装置２００の制御部２０が、この出金許可報告を貨幣入出金装置１０に通知すると、貨幣入出金装置１０から個人Ｂに対し、入力された出金金額分の貨幣が出金される。このとき、貨幣入出金装置１０は、保存されていた売上金額入金データと出金要求及び出金許可報告とに基づき、出金後の貨幣入出金装置１０に収納されている貨幣の金種、枚数及び金額等を計算して更新保存する。仲介機関２の入出金情報処理装置２００の制御部２０は、出金要求及び出金許可報告とに基づき、貨幣入出金装置１０から出金された貨幣の金種、枚数及び金額等についての現金入出金精算データと、出金操作の際に仲介機関２の仲介機関口座５１に出金金額と共に入金された所定の手数料から払込手数料を差し引いた金額についての手数料データを生成し、出金ファイル２２，手数料ファイル２３にそれぞれ保存する。また、仲介機関２の入出金情報処理装置２００の制御部２０は、保存した現金入出金精算データを、例えば１日１回所定時刻に、入出金情報として売上代金回収機関４の入出金情報処理装置４００に送信する。売上代金回収機関４の入出金情報処理装置４００の制御部４０は、受信した現金入出金精算データを売上代金ファイル４１に保存するとともに、その現金入出金精算データと売上代金ファイル４１に保存されていた売上金額入金データとに基づき、出金後の貨幣入出金装置１０に収納されている貨幣の金種、枚数及び金額等を計算し、その計算結果を売上代金ファイル４１に保存する。
【００１９】
売上代金回収機関４は、その入出金情報処理装置４００の売上代金ファイル４１に保存されている売上金額入金データ及び現金入出金精算データ、上記計算結果等を含む入出金情報に基づき、出金後の貨幣入出金装置１０に収納されている貨幣の回収を行い、回収した現金を銀行５Ａの売上代金回収機関口座に振り込む一方、コンビニエンスストアの店舗１において貨幣入出金装置１０へ入金された売上代金に等しい金額を、売上代金回収機関口座からコンビニエンスストア本部３のコンビニエンスストア本部口座に振り込む。このとき、銀行５Ａの入出金情報処理装置５００Ａの制御部５０Ａは、売上代金回収機関口座ファイル５２に出金後の貨幣入出金装置１０から回収された貨幣に等しい金額を加算する一方、コンビニエンスストアの店舗１において貨幣入出金装置１０へ入金された売上代金に等しい金額を売上代金回収機関口座ファイル５２からコンビニエンスストア本部口座ファイル５３に移動させる。
【００２０】
他方、仲介機関２は、その入出金情報処理装置２００の出金ファイル２２に保存されている現金入出金精算データを含む入出金情報に基づき、貨幣入出金装置１０から出金された貨幣の合計額に等しい金額を、仲介機関２の仲介機関口座から売上代金回収機関４の売上代金回収機関口座に振り込む。このとき、銀行５Ａの入出金情報処理装置５００Ａの制御部５０Ａは、貨幣入出金装置１０から出金された貨幣の合計額に等しい金額を仲介機関口座ファイル５１から売上代金回収機関口座ファイル５２に移動させる。以上で、各機関及び個人Ｂの口座の入出金が精算されたことになる。
【００２１】
その後、仲介機関２は、手数料ファイル２３に保存された手数料データに基づき、例えば１ヶ月に１回、仲介機関２の口座から売上代金回収機関４の口座及びコンビニエンスストア本部３の口座へ、上記所定の手数料のうち所定の割合の金額をまとめてそれぞれ振り込む。このとき、銀行５Ａの入出金情報処理装置５００Ａの制御部５０Ａは、上記所定の手数料のうち所定の割合の金額を仲介機関口座ファイル５１から売上代金回収機関口座ファイル５２及びコンビニエンスストア本部口座ファイル５３へそれぞれ移動させる。
【００２２】
以上の例は、個人Ｂ，コンビニエンスストア本部３，仲介機関２，売上代金回収機関４が総て同一の銀行５Ａに口座を有する場合であるが、仲介機関２，売上代金回収機関４は、可能な限り多くの他の銀行５Ｂ，５Ｃ，．．．にも口座を有することとすると、仲介機関２，売上代金回収機関４が口座を有する銀行に口座を有する総ての者が、本発明に係る売上代金循環システムの貨幣入出金装置１０からの貨幣出金を利用することができる。
【００２３】
クレジットカード会社のクレジットカードを利用する場合は、例えばクレジットカード会社６Ａと契約し、銀行５Ａに口座を所有する顧客の個人Ｂが、自己のクレジットカード１１をコンビニエンスストアの店舗１の貨幣入出金装置１０に挿入し、出金金額及び暗証番号を入力してクレジットによるキャッシング（融資）の操作をすると、貨幣入出金装置１０は、保存した売上金額入金データに基づき出金要求の金額が貨幣入出金装置１０内の貨幣の金種別在高以下であることを確認した上で、仲介機関２の入出金情報処理装置２００に対し出金要求を通知する。出金要求の金額が貨幣入出金装置１０内の貨幣の金種別在高以下である場合には「取扱中」の表示を維持し、出金要求の金額が貨幣入出金装置１０内の貨幣の金種別在高を超えている場合には「中止」又は「．．．万円以下のみ可」等の表示を行う。仲介機関２の入出金情報処理装置２００の制御部２０は、出金要求を受信すると、出金要求に含まれているカード種別データに基づき、いずれのクレジットカード会社の入出金情報処理装置（ホストコンピュータ）にその出金要求を通知すべきかを判断し、この場合はクレジットカード会社６Ａの入出金情報処理装置６００Ａに回線を接続してその出金要求をキャッシング要求として通知する。このクレジットカード会社６Ａの入出金情報処理装置６００Ａへのキャッシング要求は、クレジットカード会社６Ａが顧客の個人Ａに対しキャッシングを許可する場合には、システム使用に対する所定の手数料をキャッシング金額に加算した金額をクレジットカード会社６Ａの口座から売上代金回収機関４の口座へ払い込む第１の払込要求と、キャッシング金額に所定の利子を加算した金額を個人Ａの口座からクレジットカード会社６Ａの口座へ一括又は分割で払い込む第２の払込要求とを伴うものである。
【００２４】
クレジットカード会社６Ａの入出金情報処理装置６００Ａの制御部６０Ａは、個人Ａに対しキャッシングを許可する場合には、仲介機関２の入出金情報処理装置２００の制御部２０に対しキャッシング許可報告を通知すると共に、後日、銀行５Ａの入出金情報処理装置５００Ａの制御部５０Ａに対し、システム使用に対する所定の手数料を個人Ａが出金したキャッシング金額に加算した金額をクレジットカード会社６Ａの口座から売上代金回収機関４の口座へ払い込む第１の払込要求と、個人Ａが出金したキャッシング金額に所定の利子を加算した金額を個人Ａの口座からクレジットカード会社口座へ一括又は分割で払い込む第２の払込要求とを送信する。
【００２５】
仲介機関２の入出金情報処理装置２００の制御部２０が、受信したキャッシング許可報告を出金許可報告として貨幣入出金装置１０に通知すると、貨幣入出金装置１０から個人Ａに対し、入力されたキャッシング金額分の貨幣が出金される。このとき、貨幣入出金装置１０は、保存されていた売上金額入金データと出金要求及び出金許可報告とに基づき、出金後の貨幣入出金装置１０に収納されている貨幣の金種、枚数及び金額等を計算して更新保存する。仲介機関２の入出金情報処理装置２００の制御部２０は、キャッシング要求及びキャッシング許可報告とに基づき、貨幣入出金装置１０から出金された貨幣の金種、枚数及び金額等についての現金入出金精算データを生成し、出金ファイル２２に保存する。またさらに、キャッシング要求及びキャッシング許可報告に基づき、キャッシング１件ごとのシステム使用に対する所定の手数料のうち仲介機関２及びコンビニエンスストア本部３の割り当て分についての手数料データを生成し、手数料ファイル２３に保存する。さらに、仲介機関２の入出金情報処理装置２００の制御部２０は、保存した現金入出金精算データを、例えば１日１回所定時刻に、入出金情報として売上代金回収機関４の入出金情報処理装置４００に送信する。売上代金回収機関４の入出金情報処理装置４００の制御部４０は、受信した現金入出金精算データを売上代金ファイル４１に保存するとともに、その現金入出金精算データと売上代金ファイル４１に保存されていた売上金額入金データとに基づき、出金後の貨幣入出金装置１０に収納されている貨幣の金種、枚数及び金額等を計算し、その計算結果を売上代金ファイル４１に保存する。
【００２６】
売上代金回収機関４は、その入出金情報処理装置４００の売上代金ファイル４１に保存されている売上金額入金データ及び現金入出金精算データ、上記計算結果等を含む入出金情報に基づき、出金後の貨幣入出金装置１０に収納されている貨幣の回収を行い、回収した現金を銀行５Ａの売上代金回収機関口座に振り込む一方、コンビニエンスストアの店舗１において貨幣入出金装置１０へ入金された売上代金に等しい金額を、売上代金回収機関口座からコンビニエンスストア本部３のコンビニエンスストア本部口座に振り込む。このとき、銀行５Ａの入出金情報処理装置５００Ａの制御部５０Ａは、売上代金回収機関口座ファイル５２に出金後の貨幣入出金装置１０から回収された貨幣に等しい金額を加算する一方、コンビニエンスストアの店舗１において貨幣入出金装置１０へ入金された売上代金に等しい金額を売上代金回収機関口座ファイル５２からコンビニエンスストア本部口座ファイル５３に移動させる。
【００２７】
銀行５Ａの入出金情報処理装置５００Ａの制御部５０Ａは、クレジットカード会社６Ａの入出金情報処理装置６００Ａの制御部６０Ａからの第１の払込要求に応じ、例えば週に１回、システム使用に対する所定の手数料を個人Ａが出金したキャッシング金額に加算した金額を他の利用者についての当該金額と合計し、まとめてクレジットカード会社口座ファイル５４から売上代金回収機関口座ファイル５２へ移動させる。また、第２の払込要求に基づき、キャッシングの金額に所定の利子を加算した金額を、キャッシングを受けた個人Ａの口座ファイル５５からクレジットカード会社口座ファイル５４に一括又は分割で移動させる。
【００２８】
その後、売上代金回収機関４は、キャッシング１件ごとのシステム使用に対する所定の手数料のうち仲介機関２及びコンビニエンスストア本部３の割り当て分の合計額を、例えば１ヶ月に１回、売上代金回収機関４の口座から仲介機関２の口座にまとめて振り込み、仲介機関２は、キャッシング１件ごとのシステム使用に対する所定の手数料のうちコンビニエンスストア本部３の割り当て分の合計額を、例えば１ヶ月に１回、仲介機関２の口座からコンビニエンスストア本部３の口座にまとめて振り込む。この所定の手数料の割り当て分は、仲介機関２の入出金情報処理装置２００の手数料ファイル２３に保存された手数料データとの照合により管理される。このとき、銀行５Ａの入出金情報処理装置５００Ａの制御部５０Ａは、上記所定の手数料のうち仲介機関２及びコンビニエンスストア本部３の割り当て分の合計額を、売上代金回収機関口座ファイル５２から仲介機関口座ファイル５１へまとめて移動させると共に、上記所定の手数料のうちコンビニエンスストア本部３の割り当て分の合計額を、仲介機関口座ファイル５１からコンビニエンスストア本部口座ファイル５３へまとめて移動させる。以上で、各機関及び個人Ａの口座の入出金が精算されたことになる。
【００２９】
以上の例は、個人Ａ，コンビニエンスストア本部３，仲介機関２，売上代金回収機関４，クレジットカード会社６Ａが総て同一の銀行５Ａに口座を有する場合であるが、仲介機関２，売上代金回収機関４は、可能な限り多くの他の銀行５Ｂ，５Ｃ，．．．にも口座を有することとすると、仲介機関２，売上代金回収機関４が口座を有する銀行に口座を有する総ての者が、本発明に係る売上代金循環システムの貨幣入出金装置１０からのクレジットカードによるキャッシングを利用することができる。
【００３０】
上述した銀行からの出金又はクレジットカード会社からのキャッシングの際、利用者である個人Ｂ及び個人Ａ若しくはクレジットカード会社から所定の手数料を徴収し、各機関に所定の割合で割り当てることとすると、本発明に係る売上代金循環システムに関係する総ての機関が手数料収入を得ることができ、貨幣入出金装置１０に収納されている貨幣の効率的な運用を図ることが可能となる。また、貨幣入出金装置には小売店の店舗の売上代金が入金される一方ではなく、口座及びカードの所有者に対し出金もされるので、売上代金回収機関による売上代金回収の頻度も低減させることができるものである。
【００３１】
本発明に係る売上代金循環システムは、銀行やクレジットカード会社の現金自動支払機又は現金自動取引装置とほぼ同等の装置が多くのコンビニエンスストアやファーストフード店等の小売店の店舗に設置されたのと同様になるので、利用者の便宜が図られ、また、利用手数料を一般の金融機関よりも低額にすることにより、十分な利用者のニーズが見込まれる。例えば、銀行では１０５円している手数料を、顧客が口座を有する銀行に関係なく７５円で利用できるようにし、７５円の手数料を仲介機関２とコンビニエンスストア本部３と売上代金回収機関４とに所定の割合で割り当てる。
【００３２】
キャッシュカードの場合、上述の例において、個人Ｂが自己の口座から１００００円の出金をしようとしたとすると、銀行の入出金情報処理装置（ホストコンピュータ）により直ちに個人Ｂの口座から例えば７５円の手数料を加算して１００７５円が引き落とされ現金１００００円が貨幣入出金装置から出金される一方、銀行は手数料２０円をその銀行の手数料割り当て分とし、仲介機関２の仲介機関口座５１には１００５５円が入金される。このうち１００００円を仲介機関が売上代金回収機関４の口座へ、他の利用者の出金金額と合計して一括で振込む。５５円の手数料は、仲介機関が例えば１箇月分を蓄積しておき、コンビニエンスストア本部３と売上代金回収機関４とに２０円ずつの割合で割り当て、残り１５円を仲介機関の割り当て分とする。尚、仲介機関２の口座から売上代金回収機関の口座への払込手数料（例えば１回２０円）は仲介機関２が負担するが、他の利用者の出金金額と合計して一括振込するので、利用者一人あたりの負担は極めて少額となる。
【００３３】
クレジットカードの場合、上述の例において、個人Ａが１００００円のキャッシングを受けようとしたとすると、１００００円を貨幣入出金装置から出金する一方、クレジットカード会社６Ａは、例えば週１回、キャッシング１件につき７５円の手数料をキャッシング金額１００００円に加算した１００７５円を他の利用者のキャッシング金額及び手数料と合計してクレジットカード会社６Ａの口座から売上代金回収機関４の口座に一括で振込む。また、売上代金回収機関４は、７５円の手数料のうち２０円を売上代金回収機関４の割り当て分とし、残りの５５円を仲介機関２及びコンビニエンスストア本部３の割り当て分として、例えば１ヶ月に１回、売上代金回収機関４の口座から仲介機関２の口座に他の利用者の手数料の割り当て分と合計して一括で振込む。さらに、仲介機関２は、残りの５５円の手数料のうち２０円をコンビニエンスストア本部３の割り当て分として、例えば１ヶ月に１回、仲介機関２の口座からコンビニエンスストア本部３の口座に他の利用者の手数料の割り当て分と合計して一括で振込み、残りの３５円を仲介機関２の割り当て分とする。キャッシュカードの場合と同様に、他の利用者のキャッシング金額又は手数料と合計して一括振込することにより利用者一人あたりの払込手数料は極めて少額となるので、この振込手数料は、振込を行うクレジットカード会社又は各機関が負担することとしてもよい。キャッシングの利用者である個人Ａの口座５５からは、所定の時期にクレジットカード会社のクレジットカード会社口座５４へ引き落としが行なわれ、このときに同時に、例えば年利１２．６％（＝１２６０円÷１２＝１０５円／月）の利子も引き落とされるので、クレジットカード会社は自社で現金自動取引装置を設置することなく利益を得ることができる。
【００３４】
貨幣入出金装置１０へ入金される貨幣は各種紙幣及び硬貨があるが、出金は、コンビニエンスストアの店舗１で釣り銭として使用しない１万円札に限定すると、貨幣入出金装置１０の低コスト化を図ることができる。但し、適宜、他の紙幣、貨幣も出金できるようにしてもよい。
【００３５】
図３は、本発明に係る売上代金循環システムにおいて使用される貨幣入出金装置の構成を示した説明図である。図３に示した貨幣入出金装置１０は、従来の貨幣入金装置に、現金自動支払機若しくは現金自動取引装置及び情報端末の機能を付加したものである。
【００３６】
図３に示した貨幣入出金装置１０は、以下のように構成されている。
【００３７】
硬貨を取り扱う部分は、硬貨が投入される硬貨投入部１０１と、投入された硬貨を順次繰り出す硬貨繰出部１１０と、繰り出された硬貨の種類を識別する硬貨識別部１１１と、識別結果に基づき硬貨を種類別に振り分ける硬貨振分部１１２と、種類別に振り分けられた硬貨を一時的に保留する硬貨一時保留部１１３と、一時的に保留された硬貨を種類別に収納する硬貨カセット１１４とから構成されている。
【００３８】
紙幣を取り扱う部分は、紙幣が投入される紙幣投入部１０２と、投入された紙幣を順次繰り出す紙幣繰出部１２０と、繰り出された紙幣の種類を識別する紙幣識別部１２１と、識別結果に基づき紙幣を種類別に振り分ける紙幣振分部１２２と、種類別に振り分けられた紙幣をそれぞれ一時的に保留する一万円一時保留部１２３，五千円一時保留部１２４，千円一時保留部１２５と、各一時保留部に一時的に保留された紙幣を種類別に収納する一万円カセット１２６，五千円カセット１２７，千円カセット１２８と、一万円カセット１２６から一万円札を繰り出す一万円繰出部１３０と、繰り出された紙幣が一万円札であるかどうかを識別する一万円識別部１３１と、一万円札であると識別された紙幣は出金口１３３へ、一万円札であると識別されなかった紙幣は一万円一時保留部１２３へ振り分ける一万円振分部１３２と、一万円札が出金される出金口１３３とから構成されている。
【００３９】
また、硬貨識別部１１１によりいずれかの種類の硬貨であると識別されなかった硬貨、紙幣識別部１２１によりいずれかの種類の紙幣であると識別されなかった紙幣が、硬貨振分部１１２，紙幣振分部１２２により排出されるリジェクト部１０６が設けられている。
【００４０】
さらに、外部との信号の送受信を行う通信部１４１と、貨幣入金者の識別及び入金処理動作の開始のためにカードに記憶されたデータを読み込むカードリーダ１０７と、貨幣入金の際における貨幣入金者の識別、貨幣の計数の結果等を表示し、金額の確認等のための接触操作が可能な操作表示部１０４と、貨幣入金の際におけるレシート発行を行う印字部１０３と、顧客による貨幣出金の際における操作内容等を表示し、暗証番号及び金額の入力、金額の確認等のための接触操作が可能な顧客用表示部１０５と、顧客による貨幣出金の際にカードが挿入されるカード口１０８と、装置全体を制御する制御部１４０とが備えられている。制御部１４０により制御される各構成部分は、制御部１４０に接続されている。
【００４１】
この貨幣入出金装置１０は、顧客が操作する側が壁３０の店舗内側に、店員又は店長が操作する側が壁３０の店舗裏側に出るように設置する。
【００４２】
図３に示した貨幣入出金装置１０は、以下のように動作する。
【００４３】
カードリーダ１０７にカードを通過させると、貨幣入金者が識別されるとともに入金処理動作が開始され、硬貨投入部１０１及び紙幣投入部１０２が開口して貨幣の投入が可能となる。硬貨投入部１０１に硬貨を投入すると、繰出部１１０が、投入された硬貨を順次繰り出し、識別部１１１へ送る。識別部１１１では硬貨の種類を識別し、その識別結果に基づき振分部１１２が硬貨を振り分け、硬貨の種類別に一時保留部１１３に一時的に保留する。識別部１１１が識別できなかった硬貨については、リジェクト部１０６に排出する。また、紙幣投入部１０２に紙幣を投入すると、繰出部１２０が、投入された紙幣を順次繰り出し、識別部１２１へ送る。識別部１２１では紙幣の種類を識別し、その識別結果に基づき振分部１２２が紙幣を振り分け、紙幣の種類別に一時保留部１２３，１２４，１２５に一時的に保留する。識別部１２１が識別できなかった紙幣については、リジェクト部１０６に排出する。以上の動作における貨幣入金者の識別、貨幣の計数等は操作表示部１０４に表示され、入金が確定すると、印字部１０３によりレシートが発行される。一時保留部１１３に保留された硬貨は、種類別に硬貨カセット１１４に収納される。また、一時保留部１２３，１２４，１２５に保留された紙幣は、種類別に紙幣カセット１２６，１２７，１２８に収納される。
【００４４】
一方、銀行口座のキャッシュカード又はクレジットカード会社のクレジットカードの所有者が、貨幣の出金を受けようとするときは、カード口１０８にカードを挿入すると、制御部１４０がカードの種類等を識別し、制御部１４０を介して通信部が、仲介機関の入出金情報処理装置と通信を行い、カード所有者の要求通り貨幣の出金がなされる場合には、一万円カセット１２６に備えられた繰出部１３０が、出金許可報告を受信した制御部１４０からの指示信号により、要求されただけの枚数の一万円札を繰り出し、識別部１３１へ送る。識別部１３１では、繰り出されたものが一万円札であることを識別して確認した上で、振分部１３２に送る。振分部１３２では、一万円札として識別されなかった紙幣を一時保留部１２３へ振り分けて一万円カセット１２６に戻し、一万円札として識別された紙幣が要求されただけの枚数だけそろうと、出金口１３３から出金する。以上の動作におけるカードの種類等の識別は顧客用表示部１０５に表示され、出金要求金額及び暗証番号等の入力は、顧客用表示部１０５に設けられた接触操作部を介して行われる。
【００４５】
図４は、カードの使用により出金を行う際における本発明に係る売上代金循環システムの動作を示したフローチャートである。
【００４６】
貨幣入出金装置のカード口にカードが挿入されると、最初に使用可能カードかどうかを識別する（ステップＳ４０１）。即ち、所定の銀行のキャッシュカード又は所定のクレジットカード会社のクレジットカードのいずれかに該当するかどうかを識別する。使用可能カードでない場合にはカードを返却し（ステップＳ４２３）、カードがカード口から抜き取られると（ステップＳ４２４）、動作は終了する。使用可能カードである場合には、暗証番号及び出金金額の入力画面を表示し、顧客に暗証番号及び出金金額を入力させる（ステップＳ４０２）。
【００４７】
暗証番号及び出金金額が入力されると、貨幣入出金装置では、入力された出金金額が貨幣入出金装置に収納されている貨幣の在高以下であるかどうかを識別する（ステップＳ４０３）。入力された出金金額が貨幣入出金装置に収納されている貨幣の在高を超えている場合には、貨幣入出金装置の制御部により拒否通知が行われ（ステップＳ４２１）、顧客用表示部にその旨を表示して（ステップＳ４２２）、カードを返却し（ステップＳ４２３）、カードがカード口から抜き取られると（ステップＳ４２４）、動作は終了する。入力された出金金額が貨幣入出金装置に収納されている貨幣の在高以下である場合には、貨幣入出金装置から仲介機関の入出金情報処理装置への問い合わせが行われる（ステップＳ４０４）。
【００４８】
仲介機関の入出金情報処理装置では、カードから読み込まれたデータに基づき、カードの種類、即ち、いずれの銀行のキャッシュカードであるか、又は、いずれのクレジットカード会社のクレジットカードであるか、を識別する（ステップＳ４０５）。いずれかの銀行のキャッシュカードであると識別された場合は、当該銀行の入出金情報処理装置（ホストコンピュータ）へ、顧客の出金要求を照会する（ステップＳ４０６）。当該銀行の入出金情報処理装置は、顧客の口座ファイルを参照して顧客の出金要求を許可するかどうかを決定する（ステップＳ４０７）。いずれかのクレジットカード会社のクレジットカードであると識別された場合は、当該クレジットカード会社の入出金情報処理装置（ホストコンピュータ）へ、顧客のキャッシング要求を照会する（ステップＳ４０８）。当該クレジットカード会社の入出金情報処理装置は、顧客ファイルを参照して顧客のキャッシング要求を許可するかどうかを決定する（ステップＳ４０９）。
【００４９】
顧客の出金要求又はキャッシング要求が許可されない場合は、貨幣入出金装置に対し拒否通知が行われ（ステップＳ４２１）、顧客用表示部にその旨を表示して（ステップＳ４２２）、カードを返却し（ステップＳ４２３）、カードがカード口から抜き取られると（ステップＳ４２４）、動作は終了する。顧客の出金要求又はキャッシング要求が許可される場合は、貨幣入出金装置に対し許可通知が行われ（ステップＳ４１０）、貨幣入出金装置では入力された出金金額分の貨幣の繰り出しが行われ（ステップＳ４１１）、貨幣の繰り出しが正常に完了しないときは再試行（リトライ）し（ステップＳ４１８）、再試行の結果、貨幣の繰り出しが正常に完了しないときは貨幣入出金装置をエラーダウンさせる（ステップＳ４２０）。貨幣の繰り出しが正常に完了したときは顧客用表示部にその旨を表示して（ステップＳ４１３）、カードを返却する（ステップＳ４１４）。カードが抜き取られると（ステップＳ４１５）、貨幣を排出すると共にレシートを発行し（ステップＳ４１６）、貨幣及びレシートが抜き取られると（ステップＳ４１７）、カードの使用による出金動作を終了する。
【００５０】
図５は、小売店の貨幣入出金装置への売上代金入金の手順を示したフローチャートである。
【００５１】
小売店の店舗において貨幣入出金装置に売上代金を入金するときは、最初にカードリーダにファンクションカードを通過させると（ステップＳ５０１）、入金処理動作が開始されて貨幣の投入が可能となるので、貨幣を投入する（ステップＳ５０２）。投入した貨幣が計数されて金額が操作表示部に表示されるので、その金額が投入した貨幣の金額と一致していないときは（ステップＳ５０３）、取消の操作をすると貨幣が返却され（ステップＳ５０７）、入金操作を終了する。この場合は再度、最初から入金操作を行う。表示された金額が投入した貨幣の金額と一致しているときは、確認の操作をして入金額を記憶させると（ステップＳ５０４）、貨幣が装置内のカセットに収納され（ステップＳ５０５）、レシートが発行されて（ステップＳ５０６）、入金操作を終了する。
【００５２】
図６は、売上代金回収機関の回収員による売上代金回収作業の手順を示したフローチャートである。
【００５３】
回収員は、鍵で貨幣入出金装置の扉を開け（ステップＳ６０１）、各紙幣カセット及び硬貨カセットを取り出して空の各紙幣カセット及び硬貨カセットと交換し（ステップＳ６０２）、貨幣入出金装置の扉を閉じてロックすると（ステップＳ６０３）、売上代金回収作業が終了する。
【００５４】
図７は、貨幣入出金装置から仲介機関の入出金情報処理装置への通知の動作を示したフローチャートである。
【００５５】
貨幣入出金装置は、金種別入金額、入金合計、出金件数、出金額合計及び装置内の貨幣の在高を、売上代金入金時及び出金時に、仲介機関の入出金情報処理装置に通知する（ステップＳ７０１）。
【００５６】
図８は、売上代金回収機関による銀行振込の内容を示したフローチャートである。
【００５７】
売上代金回収機関は、仲介機関の入出金情報処理装置から売上代金回収機関の入出金情報処理装置へ通知された売上金額入金データに基づき、コンビニエンスストアの店舗で貨幣入出金装置に入金された売上代金の金額に等しい金額を、売上代金回収機関の口座からコンビニエンスストア本部の口座へ、売上代金入金の翌日に振り込む（ステップＳ８０１）。また、売上代金回収機関は、クレジットカード会社からキャッシング金額と共に振り込まれたシステム使用に対する所定の手数料のうち仲介機関及びコンビニエンスストア本部の割り当て分の合計額を、例えば１ヶ月に１回、売上代金回収機関の口座から仲介機関の口座にまとめて振り込む（ステップＳ８０２）。尚、図８に示した各手続きは、順不同である。
【００５８】
図９は、仲介機関による手続きの内容を示したフローチャートである。
【００５９】
仲介機関は、例えば１日１回、小売店の店舗ごとの貨幣入出金装置の入金額合計及び貨幣の在高を売上代金回収機関の入出金情報処理装置に通知する（ステップＳ９０１）。また、仲介機関は、例えば１日１回、各店舗の貨幣入出金装置からの個人出金分の合計額に等しい金額を、仲介機関の口座から売上代金回収機関の口座へ振り込む（ステップＳ９０２）。また、仲介機関は、例えば１ヶ月に１回、仲介機関の口座から売上代金回収機関の口座及びコンビニエンスストア本部の口座へ、所定の手数料のうち売上代金回収機関及びコンビニエンスストア本部の割り当て分をまとめて振り込む（ステップＳ９０３）。尚、図９に示した各手続きは、順不同である。
【００６０】
図１０は、クレジットカード会社の銀行口座において行われる手続きの内容を示したフローチャートである。
【００６１】
クレジットカード会社の口座からは、例えば週１回、各顧客のキャッシング金額の合計額に、キャッシング１件あたり所定の手数料（例えば７５円）を加算した金額が、売上代金回収機関の口座に振り込まれる（ステップＳ１００１）。また、所定時期に、キャッシングを受けた各顧客の口座からクレジットカード会社の口座へ、キャッシング分の金額が一括又は分割で、所定の手数料（例えば年利１２．６％の利子）と共に引き落とされる（ステップＳ１００２）。
【００６２】
上述した本発明に係る売上代金循環システムの実施の一形態においては、キャッシュカード又はクレジットカードを使用して貨幣入出金装置から出金を行う例について説明したが、この貨幣入出金装置に電子マネーの価値付け機能を持たせてもよい。この場合、顧客が貨幣入出金装置に現金を入金できるようにしてその入金額をＩＣカードに記録するか、又は、顧客の銀行口座の預金を移動させてＩＣカードに記録するようにする。さらに、この貨幣入出金装置に電子マネーの精算機としての機能を持たせてもよい。即ち、ＩＣカードの残高を現金で出金したり、ＩＣカードの残高を自己の口座に入金できるようにしてもよい。
【００６３】
また、上記実施の形態においては、クレジットカードを使用したキャッシングの場合には、クレジットカード会社の口座から売上代金回収機関の口座へ直接振込を行うこととしているが、一旦、クレジットカード会社の口座から仲介機関の口座へ振り込んだ後、仲介機関の口座から売上代金回収機関の口座へ振込を行うこととしてもよい。
【００６４】
【発明の効果】
本発明に係る売上代金循環システムによれば、貨幣処理装置として貨幣入出金装置を小売店の店舗に設置すると共に通信網に接続し、その店舗の売上代金として貨幣入出金装置に入金された貨幣の一部を、金融機関の口座及びキャッシュカード若しくはクレジットカードの所有者に対し出金すると共に、入出金情報を貨幣入出金装置と各種機関の入出金情報処理手段との間で送受信して管理することとしたので、貨幣入出金装置に収納された売上代金の効率的運用を図ることが可能となり、具体的には、以下の効果を得ることができる。
【００６５】
売上代金回収機関は、売上代金回収の回数を低減することができ、業務の効率化を図ることができ、カードによる利用者とクレジットカード会社とからの手数料収入を得ることができる。
【００６６】
仲介機関は、カードによる利用者とクレジットカード会社とからの手数料収入を得ることができる。
【００６７】
キャッシュカード所有者は、自己が口座を有する銀行以外の銀行の現金自動支払機から預金を引き出すよりも低額の手数料で預金を引き出すことができ、自己が口座を有する銀行の現金自動支払機で所定時間外に預金を引き出す場合よりも低額の手数料で預金を引き出すことができる。所定時間内のときは、自己が口座を有する銀行の現金自動支払機で預金を引き出す場合に不要な手数料を要するが、本発明に係る売上代金循環システムにより貨幣入出金装置の設置個所が飛躍的に増加することになるので、自己が口座を有する銀行の現金自動支払機を探し回る必要がなく、預金の引き出しが非常に便利となる。
【００６８】
クレジットカード所有者は、通常の現金自動取引装置でキャッシングを受ける場合と比べて手数料は変わらないが、本発明に係る売上代金循環システムにより貨幣入出金装置の設置個所が飛躍的に増加することになるので、急に現金が必要になったとき等のキャッシングに、非常に便利となる。
【図面の簡単な説明】
【図１】本発明に係る売上代金循環システムの実施の一形態における構成を概念的に示した説明図。
【図２】本発明に係る売上代金循環システムの実施の一形態におけるハードウェア構成を示した説明図。
【図３】本発明に係る売上代金循環システムにおいて使用される貨幣入出金装置の構成を示した説明図。
【図４】カードの使用により出金を行う際における本発明に係る売上代金循環システムの動作を示したフローチャート。
【図５】小売店の貨幣入出金装置への売上代金入金の手順を示したフローチャート。
【図６】売上代金回収機関の回収員による売上代金回収作業の手順を示したフローチャート。
【図７】貨幣入出金装置から仲介機関の入出金情報処理装置への通知の動作を示したフローチャート。
【図８】売上代金回収機関による銀行振込の内容を示したフローチャート。
【図９】仲介機関による手続きの内容を示したフローチャート。
【図１０】クレジットカード会社の銀行口座において行われる手続きの内容を示したフローチャート。
【符号の説明】
１  コンビニエンスストアの店舗
２  仲介機関
３  コンビニエンスストア本部
４  売上代金回収機関
５Ａ，５Ｂ，５Ｃ  銀行
６Ａ，６Ｂ，６Ｃ  クレジットカード会社
１０  貨幣入出金装置
１１  キャッシュカード又はクレジットカード
２０，４０，５０Ａ，５０Ｂ，５０Ｃ，６０Ａ，６０Ｂ  入出金情報処理装置の制御部
２１，４１  売上代金ファイル
２２  出金ファイル
２３  手数料ファイル
３０  壁
５１  仲介機関口座
５２  売上代金回収機関口座
５３  コンビニエンスストア本部口座
５４  クレジットカード会社口座
５５  個人Ａの口座
５６  個人Ｂの口座
６１Ａ，６１Ｂ  顧客ファイル
６２Ａ，６２Ｂ  キャッシングファイル
１０１  硬貨投入部
１０２  紙幣投入部
１０３  印字部
１０４  操作表示部
１０５  顧客用表示部
１０６  リジェクト部
１０７  カードリーダ
１０８  カード口
１１０  硬貨繰出部
１１１  硬貨識別部
１１２  硬貨振分部
１１３  硬貨一時保留部
１１４  硬貨カセット
１２０  紙幣繰出部
１２１  紙幣識別部
１２２  紙幣振分部
１２３，１２４，１２５  紙幣一時保留部
１２６，１２７，１２８  紙幣カセット
１３０  紙幣繰出部
１３１  紙幣識別部
１３２  紙幣振分部
１３３  出金口
１４０  制御部
２００  仲介機関の入出金情報処理装置
４００  売上代金回収機関の入出金情報処理装置
５００Ａ，５００Ｂ，５００Ｃ  銀行の入出金情報処理装置
６００Ａ，６００Ｂ  クレジットカード会社の入出金情報処理装置
【図１】
0003819163.tif 000002
【図２】
0003819163.tif 000003
【図３】
0003819163.tif 000004
【図４】
0003819163.tif 000005
【図５】
0003819163.tif 000006
【図６】
0003819163.tif 000007
【図７】
0003819163.tif 000008
【図８】
0003819163.tif 000009
【図９】
0003819163.tif 000010
【図１０】
0003819163.tif 000011